(57)【要約】  【課題】  高所や狭い場所でも容易かつ安全に映像信号を創出することのできる映像擬似信号発生器を提供する。  【解決手段】  ＡＶシステム機器への接続用コネクター(５)を有するケーシング(６)内に、ワンチップマイクロコンピュータやプログラマブルゲートアレイ等のパルス波形発生器(３)と電源用電池(２)とを配置した基板(４)を配置し、この電源用電池(２)とパルス波形発生器(３)とを接続する電源回路に電源スイッチ(７)を配置した。【選択図】    図１
2006180013.tif 000002
【特許請求の範囲】
【請求項１】
ＡＶシステム機器への接続用コネクター(５)を有するケーシング(６)内に、電源用電池(２)とパルス波形発生器(３)とを配置した基板を配置し、この電源用電池(２)とパルス波形発生器(３)とを接続する電源回路に電源スイッチ(７)を配置して構成した映像擬似信号発生器。
【請求項２】
パルス波形発生器(３)がワンチップマイクロコンピュータである請求項１に記載の映像擬似信号発生器。
【請求項３】
パルス発生器(３)がプログラマブルゲートアレイである請求項１に記載の映像擬似信号発生器。
【発明の詳細な説明】
【技術分野】
【０００１】
本発明は、コンピュータのディスプレーやプロジェクタ等の電気信号により映像を表示する映像機器での調整や故障診断に使用する映像擬似信号発生器に関する。
【背景技術】
【０００２】
従来、コンピュータのディスプレーやプロジェクタ等の電気信号により映像を表示する映像機器の調整や故障診断を行う場合、専用装置やパーソナルコンピュータを対象映像機器に接続して該専用装置やパーソナルコンピュータで発生させた画像信号を対象映像機器に伝達して、映像機器に表示させることにより、映像機器での回路的不具合などを測定するようにしている。
【発明の開示】
【発明が解決しようとする課題】
【０００３】
ところが、対象となる映像機器は、例えば天井等の高い場所や、机の中等の狭い場所に配設されていることも多く、従来の方法で調整および故障の診断を行うためには、大型で重い装置や、パーソナルコンピュータを持ち歩きながら行わなければならず、また、その機器の電源を確保しなければならないという不便さがあった。
また、重い機器を使用しての高所作業となるため、作業に危険性が伴うという問題もあった。
【０００４】
本発明は、このようにな点に着目してなされたもので、高所や狭い場所でも容易かつ安全に映像信号を送出することのできる映像擬似信号発生器を提供することを目的とする。
【課題を解決するための手段】
【０００５】
上述の目的を達成するために本発明は、ＡＶシステム機器への接続用コネクターを有するケーシング内に、ワンチップマイクロコンピュータ又はプログラマブルゲートアレイからなるパルス波形発生器と電源用電池とを配置した基板を配置し、この電源用電池とパルス波形発生器とを接続する電源回路に電源スイッチを配置して構成したことを特徴としている。
【発明の効果】
【０００６】
本発明では、ＡＶシステム機器への接続用コネクターを有するケーシング内に、ワンチップマイクロコンピュータ又はプログラマブルゲートアレイからなるパルス波形発生器と電源用電池とを配置した基板を配置し、この電源用電池とパルス波形発生器とを接続する電源回路に電源スイッチを配置していることから、複雑な回路を用いることなく一定の擬似映像信号を送出することができるようになるから、小型で軽量な擬似映像信号発生器を形成することができる。しかもケーシング内に電源用電池を内蔵していることから、この機器を作動させるための電源を別途確保しなくてもよくなるから、高い場所や狭い場所に配置されているＡＶシステム機器の点検・調整・修理等の作業を安全かつ容易に行うことができる。
【発明を実施するための最良の形態】
【０００７】
図は、本発明の実施形態を示し、図１は分解斜視図を示す。
この映像擬似信号発生器(１)は、電源用電池(２)とワンチップマイクロコンピュータを構成しているＣＰＵからなるパルス波形発生器(３)とを基板(４)に配置し、この基板(４)を一側面に接続用コネクター(５)を装着したケーシング(６)内に収容してある。
【０００８】
また、ケーシング(６)の他の側面には、電源用電池(２)とパルス波形発生器(３)とを接続する電源回路に配置した電源スイッチ(７)とパイロットランプ(８)とが配置してある。図中符号(９)はケーシング(６)の蓋板である。
【０００９】
ここで、電源用電池(２)としては、ボタン型アルカリ電池(ＬＲ４４)やボタン型酸化銀電池(ＳＲ４４)を４個直列に配置している。また、接続用コネクター(５)としては、Ｄsub１５pinコネクタを使用している。
【００１０】
このように構成した映像擬似信号発生器(１)は、接続用コネクター(５)を診断対象映像機器に挿入接続し、ケーシング(６)に配置されている電源スイッチ(７)を操作して、電源用電池(１)からの電力をパルス波形発生器(３)に供給する。パルス波形発生器(３)では、あらかじめ設定されているプログラムに基づきパルス波形を造出し、接続用コネクター(５)を介して診断対象映像機器にパルス波信号を送りだす。
【００１１】
次に図２を参照しながら、パルス波形発生器(３)でのパルス波形成手順を説明する。
電源スイッチ(７)を操作して(ステップS1)、パルス波形発生器(３)に通電する。
次に、電源スイッチ(７)が通電状態にあるか否かを判断し(ステップS2)、通電状態にないと判断した場合には、全体の操作を終了する。一方、通電状態にあると判断した場合には、パルス波形発生器(３)内での計数器が所定の数値になったか否かを判断し(ステップS3)、所定の数値に達したと判断した場合にはＶＤ同期信号を出す(ステップS4)。
【００１２】
前記ステップS3で計数器が所定の数値に達していないと判断した場合と、前記ステップS4を経過した場合に、ＨＤ同期信号を出す(ステップS5)。次いでＲ映像信号(ステップS6)、Ｇ映像信号(ステップS7)、Ｂ映像信号(ステップS8)と順に映像信号を出し、計数器のカウントを増加させて(ステップS9)、電源スイッチが入っているか否かの判断手順(ステップS2)に戻る。そして、この判断手順で、電源スイッチがOFFになっていると判断するまで、ループ状に作動する。
【００１３】
上述の実施態様では、パルス波形発生器(３)をワンチップマイクロコンピュータを構成しているＣＰＵで構成しているが、プログラマブルゲートアレーで構成するようにしてもよい。また、接続用コネクタとしては、前述のＤsub１５pinコネクタに限らず、各種のコネクターを使用することが可能である。さらに、電源用電池としては、前述のボタン型アルカリ電池(ＬＲ４４)やボタン型酸化銀電池(ＳＲ４４)に限らず、４ＬＲ４４や４ＳＲ４４電池をはじめとする各種の一次電池や二次電池を使用すめことかできる。
【産業上の利用可能性】
【００１４】
本発明は、コンピュータのディスプレーやプロジェクタ、或いはテレビモニタなどのＡＶシステムでの映像機器の調整や故障診断に使用することができる。
【図面の簡単な説明】
【００１５】
【図１】本発明の実施形態を示す分解斜視図である。
【図２】パルス波形発生器でのパルス波形成手順を説明するフローチャートである。
【符号の説明】
【００１６】
１…映像擬似信号発生器、２…電源用電池、３…パルス波形発生器、４…基板、５…接続用コネクター、６…ケーシング、７…電源スイッチ、８…パイロットランプ。
【図１】
2006180013.tif 000003
【図２】
2006180013.tif 000004